(57)【要約】      （修正有）【課題】製造コストが安く、広告または宣伝効果に優れ、汎用性のあるティッシュペーパ収納袋を提供すること。【解決手段】第１表面シート３１と、中間シート３３と、第２表面シート３２とを有するティッシュペーパ収納袋１であって、第２表面シート３２には、表面ぜい弱線３２ａが形成してあり、中間シート３３には、表面ぜい弱線に対応する形で中間スリットとなる中間ぜい弱線３３ａが形成してあり、第２収容空間３６または第１収容空間３５に、広告または宣伝用の別シート５が収容してあり、第２表面シート３２を通して、または第２表面シート３２および中間シート３３を通して、別シート５の内容が見えるようになっており、しかも、第１収容空間３５に収容してあるティッシュペーパが、中間スリットまたは取出隙間、および表面スリットを通して外部に取り出し可能になっている。【選択図】図２
2012111548.tif 000002
【特許請求の範囲】
【請求項１】
四角形状の第１表面シートと、
前記第１表面シートに対して重ねられ、少なくとも３辺が連続または接合され、前記第１表面シートとの間に積み重ねられたティッシュペーパが収容される第１収容空間が形成される中間シートと、
前記第１表面シートおよび／または中間シートの少なくとも３辺に連続または接合してあり、前記中間シートとの間に第２収容空間が形成される第２表面シートとを有するティッシュペーパ収納袋であって、
前記第２表面シートには、張力を加えることで表面スリットが形成される表面ぜい弱線が形成してあり、前記中間シートには、前記表面ぜい弱線に対応する形で中間スリットとなる中間ぜい弱線または中間スリットまたは取出隙間が形成してあり、
前記第２収容空間または第１収容空間に、広告または宣伝用の別シートが収容してあり、第２表面シートを通して、または第２表面シートおよび中間シートを通して、前記別シートの内容が見えるようになっており、
しかも、前記第１収容空間に収容してあるティッシュペーパが、前記中間スリットまたは取出隙間、および前記表面スリットを通して外部に取り出し可能になっているティッシュペーパ収納袋。
【請求項２】
前記第２表面シートと前記中間シートとの間には、前記第２収容部と外部とを連通する差込口が形成してあり、
前記第２収容空間には、前記差込口を通して広告または宣伝用の別シートが外部から取出自在に挿入される請求項１に記載のティッシュペーパ収納袋。
【請求項３】
前記第２表面シートと前記中間シートとの間には、前記第２収容部と外部とを連通する差込口が形成してあり、
前記第１表面シートと前記中間シートとの間には、前記第１収容空間と前記第２収容空間との間を連通する連通隙間が形成してあり、前記差込口および前記連通隙間を通して、広告または宣伝用の別シートが前記第１収容空間に外部から取出自在に挿入される請求項１に記載のティッシュペーパ収納袋。
【請求項４】
前記別シートには、前記表面スリットに対応する位置に、ペーパ取出用スリット、ペーパ取出用孔またはペーパ取出用隙間が形成してある請求項１〜３のいずれかに記載のティッシュペーパ収納袋。
【発明の詳細な説明】
【技術分野】
【０００１】
本発明は、ティッシュペーパ収納袋に関する。
【背景技術】
【０００２】
従来より、積層された複数枚のティッシュペーパーがフィルム状の包装材でポケットサイズに包装された、ポケットティッシュなどのティッシュペーパ収納袋が知られている。また、収納袋を構成する包装材に、広告情報などを印刷した広告用紙片シートを差し込んだりしたポケットティッシュを、商品や企業の広告媒体として街角等で無償配布することが多く行われている。
【０００３】
しかしながら、従来のポケットティッシュなどのティッシュペーパ収納袋では、広告用紙片シートは、ティッシュペーパの取り出し口スリットとは反対側に差し込まれており、ティッシュペーパを使用する人は、裏側に差し込まれている紙片シートの内容を見ることが少なく、広告宣伝効果が少ないという課題を有している。また、人によっては、紙片シートを収納袋から取り出してからティッシュペーパを使用する人がおり、その場合には、紙片シートに記載してある広告や宣伝を見る機会が無くなる可能性もある。
【０００４】
さらに、収納袋を構成する包装材に広告情報を印刷するようにしたポケットティッシュも知られている（例えば、特許文献１）。ところが包装材に広告情報を印刷するのでは、製造コストが嵩むと共に、他の広告シートを収容することができず、汎用性が無いという課題を有する。
【先行技術文献】
【特許文献】
【０００５】
【特許文献１】特開２００５−６５９６２号公報
【発明の概要】
【発明が解決しようとする課題】
【０００６】
本発明は、このような実状に鑑みてなされ、その目的は、製造コストが安く、広告または宣伝効果に優れ、汎用性のあるティッシュペーパ収納袋を提供することである。
【課題を解決するための手段】
【０００７】
上記目的を達成するために、本発明に係るティッシュペーパ収納袋は、
四角形状の第１表面シートと、
前記第１表面シートに対して重ねられ、少なくとも３辺が連続または接合され、前記第１表面シートとの間に積み重ねられたティッシュペーパが収容される第１収容空間が形成される中間シートと、
前記第１表面シートおよび／または中間シートの少なくとも３辺に連続または接合してあり、前記中間シートとの間に第２収容空間が形成される第２表面シートとを有するティッシュペーパ収納袋であって、
前記第２表面シートには、張力を加えることで表面スリットが形成される表面ぜい弱線が形成してあり、前記中間シートには、前記表面ぜい弱線に対応する形で中間スリットとなる中間ぜい弱線または中間スリットまたは取出隙間が形成してあり、
前記第２収容空間または第１収容空間に、広告または宣伝用の別シートが収容してあり、第２表面シートを通して、または第２表面シートおよび中間シートを通して、前記別シートの内容が見えるようになっており、
しかも、前記第１収容空間に収容してあるティッシュペーパが、前記中間スリットまたは取出隙間、および前記表面スリットを通して外部に取り出し可能になっている。
【０００８】
本発明に係るティッシュペーパ収納袋では、第２収容空間または第１収容空間に収容してある広告または宣伝用の別シートの内容が、第２表面シートを通して、または第２表面シートおよび中間シートを通して、別シートの内容が見えるようになっている。しかも、第１収容空間に収容してあるティッシュペーパが、前記中間スリットまたは取出隙間、および前記表面スリットを通して外部に取り出し可能になっている。
【０００９】
そのため、ティッシュペーパを使用する人は、第１収容空間に収容してあるティッシュペーパを取り出すたびに、広告または宣伝用の別シートの内容を見ることになる。したがって、広告または宣伝効果に優れている。また、第２表面シートおよび中間シートには、広告や宣伝用の印刷を施す必要がないため、製造コストの低減を図れると共に、別シートを取り替えるのみで、別の広告や宣伝に使用することでができ、汎用性に優れている。
【００１０】
別シートは、第１収容空間または第２収容空間に予め収容してあっても良く、しかも、別シートの取り替えが困難にしてあっても良い。別シートの取り替えが困難にすることで、別シートを取り除いてティッシュペーパを使用されることが少なくなり、宣伝効果が増す。
【００１１】
あるいは、前記第２表面シートと中間シートとの間には、前記第２収容部と外部とを連通する差込口が形成してあり、
前記第２収容空間には、前記差込口を通して広告または宣伝用の別シートが外部から取出自在に挿入されてもよい。
【００１２】
あるいは、前記第２表面シートと中間シートとの間には、前記第２収容部と外部とを連通する差込口が形成してあり、
前記第１表面シートと中間シートとの間には、前記第１収容空間と第２収容空間との間を連通する連通隙間が形成してあり、前記差込口および連通隙間を通して、広告または宣伝用の別シートが前記第１収容空間に外部から取出自在に挿入されてもよい。
【００１３】
このように、広告または宣伝用の別シートの取り外しを容易にすることで、別シートの挿入作業および取り替えが容易になる。
【００１４】
好ましくは、前記別シートには、前記表面スリットに対応する位置に、ペーパ取出用スリット、ペーパ取出用孔またはペーパ取出用隙間が形成してある。この場合には、第１収容空間に収容してあるティッシュペーパが、前記中間スリットまたは取出隙間、前記ペーパ取出用スリット、ペーパ取出用孔またはペーパ取出用隙間、および前記表面スリットを通して外部に取り出し可能になる。
【００１５】
いったんティッシュペーパを、ペーパ取出用スリットまたはペーパ取出用孔を通して取り出した後には、次に取り出すべきティッシュペーパが、ペーパ取出用スリットまたはペーパ取出用孔に引っかかり、別シートの取り出しが困難になる。そのため、使用者は、別シートを収納袋から取り出すことなく、使い続けることになる。そのため、別シートの広告または宣伝を見る機会が多くなり、宣伝または広告効果が向上する。
【図面の簡単な説明】
【００１６】
【図１】図１は、本発明の一実施形態に係るティッシュペーパ収納袋を示す外観斜視図である。
【図２】図２は、図１に示すII−II断面図である。
【図３】図３（Ａ）は、ティッシュペーパ収納袋に収納される別シートの一例を示す外観斜視図、図３（Ｂ）は、ティッシュペーパ収納袋に収納される別シートの一例を示す外観斜視図、図３（Ｃ）は、ティッシュペーパ収納袋に収納される別シートの一例を示す外観斜視図、図３（Ｄ）は、ティッシュペーパ収納袋に収納される別シートの一例を示す外観斜視図、図３（Ｅ）は、ティッシュペーパ収納袋に収納される別シートの一例を示す外観斜視図である。
【図４】図４は、本発明の変形例に係るティッシュペーパ収納袋の断面図である。
【図５】図５は、本発明の変形例に係るティッシュペーパ収納袋の断面図である。
【発明を実施するための形態】
【００１７】
以下、本発明を、図面に示す実施形態に基づき説明する。
まず、本発明の一実施形態に係るティッシュペーパ収納袋１の構造について説明する。
図１および図２に示すように、ティッシュペーパ収納袋１は、積層状態の複数枚のティッシュペーパー２を包装材３にて包装して構成されている。
ティッシュペーパー２は、折り畳んだ状態で複数枚が積層されている。
【００１８】
包装材３は、樹脂フィルムなどの帯状のフィルム部材から構成されている。
この包装材３にてティッシュペーパー２を包装する際には、まず、所定の長さに切断された帯状フィルムである包装材３の略中央に、折り畳んで積層したティッシュペーパー２を載置する。
【００１９】
次に、包装材３の、載置されたティッシュペーパー２の短手方向における両端部を、それぞれティッシュペーパー２を包み込むように折り返す。
折り返してティッシュペーパー２を包んだ状態にある包装材３の、ティッシュペーパー２の長手方向における両端部を、熱溶着等にて接着した後、余分な部分を切断する。これにより、接着部３ａが形成される。
【００２０】
このように、ティッシュペーパー２を包装材３にて包装して構成されるティッシュペーパ収納袋１においては、包装材３が一重になっている面と、包装材３が二重に重ねられている面とが形成されることとなる。
以下の説明では、一重になっている一面側の包装材３を第１表面シート３１と呼び、二重に重ねられている他面側の包装材３の外側フィルムを、第２表面シート３２と呼び、二重に重ねられている面の包装材３の内側フィルムを、中間シート３３と呼ぶ。
【００２１】
このように形成された第１表面シート３１は、四角形状をしている。中間シート３３は、第１表面シート３１に対して重ねられ、少なくとも３辺が連続または接合されている。このため、第１表面シート３１と中間シート３３との間に、積み重ねられたティッシュペーパが収容される第１収容空間３５が形成されている。
【００２２】
第２表面シート３２は、第１表面シート３１および／または中間シート３３の少なくとも３辺に連続または接合してある。このため、第２表面シート３２と中間シート３３との間に第２収容空間３６が形成されている。第２表面シート３２には、たとえばティッシュペーパ収納袋１の使用者が張力を加えることで表面スリットが形成される表面ぜい弱線３２ａ（たとえばミシン目）が形成してある。
【００２３】
中間シート３３には、表面ぜい弱線３２ａに対応する形で中間スリットとなる中間ぜい弱線３３ａ（たとえばミシン目）が形成してある。
【００２４】
第２表面シート３２が、第１表面シート３１および／または中間シート３３に連続または接合していない辺の部分（第２表面シート３２と中間シート３３との間）には、第２収容部３６と外部とを連通する差込口３ｃが形成してあり、図２の矢印で示すように、第２収容空間３６には、差込口３ｃを通して、広告または宣伝用の別シート５が外部から取出自在に挿入される。別シート５には、図３に示すように、広告情報が印刷されている。
【００２５】
図１および図２に示すように、第２収容空間３６には、広告または宣伝用の別シート５が収容してあり、第２表面シート３２を通して、別シート５の内容が見えるようになっている。
【００２６】
図２に示すように、別シート５には、表面スリットに対応する位置に、図３（Ａ）に示す中間スリットとなるペーパ取出用スリット５ａ（たとえばミシン目）が形成してある。
【００２７】
したがって、ティッシュペーパ収納袋１に別シート５を挿入した後、使用者がティッシュペーパ収納袋１の第２表面シート３２を、スリット（中間ぜい弱線３３ａ、ペーパ取出用スリット５ａ、表面ぜい弱線３２ａ）が拡がる方向へ押し広げた後には、第１収容空間３５に収容してあるティッシュペーパ２が、中間ぜい弱線３３ａ、ペーパ取出用スリット５ａ、表面ぜい弱線３２ａを通して外部に取り出し可能になっている。
【００２８】
なお、図４に示すように、第２表面シート３２と中間シート３３との間には、第２収容部３６と外部とを連通する差込口３ｃが形成してあり、第２表面シート３２と中間シート３３との間には、第１収容空間３５と第２収容空間３６との間を連通する連通隙間３ｄが形成してあり、差込口３ｃおよび連通隙間３ｄを通して、広告または宣伝用の別シート５が第１収容空間に外部から取出自在に挿入されても良い。この場合には、差込口３ｃと連通隙間３ｄとは、対向する位置にあることが好ましい。
【００２９】
また、図５に点線で示すように、ティッシュペーパ収納袋１の短手方向半分にのみ、中間シート３３が形成されていて、ペーパ取出用隙間３３ｅが形成してあっても良い。
【００３０】
また、図３（Ｂ）に示すように、別シート５は、スリットＣを避けるようなサイズであっても良い。また、図３（Ｃ）に示すように、別シート５には、予めスリットが形成してあっても良い。また、図３（Ｄ）に示すように、別シート５には、ペーパ取出用孔５ｅが形成してあっても良い。さらに、図３（Ｅ）に示すように、ペーパ取出用孔５ｅには、ティッシュペーパー２の引っ掛かりを良好にする突起５ｆが形成してあっても良い。
【００３１】
なお、中間スリットが差込口３ｃに平行になるように形成してあるが、中間スリットが差込口３ｃに垂直になるように形成してもよい。
【００３２】
本実施形態に係るティッシュペーパ収納袋１では、第２収容空間３６または第１収容空間３５に収容してある広告または宣伝用の別シート５の内容が、第２表面シート３２を通して、または第２表面シート３２および中間シート３３を通して、別シート５の内容が見えるようになっている。しかも、第１収容空間３５に収容してあるティッシュペーパ２が、中間スリットまたは取出隙間３３ｅ、および表面ぜい弱線３２ａを通して外部に取り出し可能になっている。
【００３３】
そのため、ティッシュペーパ２を使用する人は、第１収容空間３５に収容してあるティッシュペーパ２を取り出すたびに、広告または宣伝用の別シート５の内容の内容を見ることになる。したがって、広告または宣伝効果に優れている。また、第２表面シート３２および中間シート３３には、広告や宣伝用の印刷を施す必要がないため、製造コストの低減を図れると共に、別シート５を取り替えるのみで、別の広告や宣伝に使用することでができ、汎用性に優れている。
【００３４】
別シート５は、第１収容空間３５または第２収容空間３６に予め収容してあっても良く、しかも、別シート５の取り替えが困難にしてあっても良い。別シート５の取り替えが困難にすることで、別シート５を取り除いてティッシュペーパを使用されることが少なくなり、宣伝効果が増す。
【００３５】
あるいは、第２表面シート３２と中間シート３３との間には、第２収容部と外部とを連通する差込口３ｃが形成してあり、第２収容空間３６には、差込口３ｃを通して広告または宣伝用の別シート５が外部から取出自在に挿入されてもよい。
【００３６】
あるいは、第２表面シート３２と中間シート３３との間には、第２収容部３６と外部とを連通する差込口３ｃが形成してあり、第１表面シート３１と中間シート３３との間には、第１収容空間３５と第２収容空間３６との間を連通する連通隙間３ｄが形成してあり、差込口３ｃおよび連通隙間３ｄを通して、広告または宣伝用の別シート５が第１収容空間３５に外部から取出自在に挿入されてもよい。
【００３７】
このように、広告または宣伝用の別シート５の取り外しを容易にすることで、別シートの挿入作業および取り替えが容易になる。
【００３８】
好ましくは、別シート５には、表面スリットに対応する位置に、ペーパ取出用スリット５ａ、ペーパ取出用孔５ｅまたはペーパ取出用隙間３３ｅが形成してある。この場合には、第１収容空間３５に収容してあるティッシュペーパ２が、中間スリット３３ａまたはペーパ取出用スリット５ａ、ペーパ取出用孔５ｅまたはペーパ取出用隙間３３ｅおよび表面スリット３２ａを通して外部に取り出し可能になる。
【００３９】
いったんティッシュペーパ２を、ペーパ取出用スリット５ａまたはペーパ取出用孔５ｅを通して取り出した後には、次に取り出すべきティッシュペーパ２が、ペーパ取出用スリット５ａまたはペーパ取出用孔５ｅ等に引っかかり、別シート５の取り出しが困難になる。そのため、使用者は、別シート５を収納袋１から取り出すことなく、使い続けることになる。そのため、別シート５の広告または宣伝を見る機会が多くなり、宣伝または広告効果が向上する。
【００４０】
なお、本発明は、上述した実施形態に限定されるものではなく、本発明の範囲内で種々に改変することができる。
【００４１】
たとえば、予め別シートを収納袋の中に収納するように製造することにより、差込口および／または連通隙間を塞ぐように、収納袋が形成してあってもよい。
【００４２】
また、包装材３の基材は、透明だけでなく、半透明でもよく、さらに色彩が附された透明・半透明でもよい。
【００４３】
また、別シートには、広告以外にも、サービス券等や買い物やサービス等に利用できるポイント等が印刷されていてもよい。
【符号の説明】
【００４４】
１…ティッシュペーパ収納袋
２…ティッシュペーパー
３ｃ…差込口
３ｄ…連通隙間
５…別シート
５ａ…ペーパ取出用スリット
５ｅ…ペーパ取出用孔
３１…第１表面シート
３２…第２表面シート
３２ａ…表面ぜい弱線
３３…中間シート
３３ａ…中間ぜい弱線
３３ｅ…ペーパ取出用隙間
３５…第１収容空間
３６…第２収容空間
【図１】
2012111548.tif 000003
【図２】
2012111548.tif 000004
【図３】
2012111548.tif 000005
【図４】
2012111548.tif 000006
【図５】
2012111548.tif 000007